(57)【要約】【課題】被洗浄物に傷を付けることを極力抑えて、付着している頑固な水垢、その他の汚れを効率よく完全かつ容易に除去することができる汚れ落しを提供する。【解決方法】可撓性基材１の表面に、順次、モース硬度２．０〜４．０の研磨材３、粉砕された軽石からなる研磨材４が接着されてなり、好ましくは、前記モース硬度２．０〜４．０からなる研磨材３及び粉砕された軽石からなる研磨材４が被洗浄物に擦り付けた際に遊離するように接着されてなり、さらに好ましくは、前記モース２．０〜４．０の研磨材３が植物性研磨材であり、また、該植物性研磨材が粉砕されたクルミの殻であり、また、前記可撓性基材１の裏面にクッション材５が接着され、また、端部に鋭角部が形成され、また、多数を分離容易に連結構成してなる汚れ落し。【選択図】    図１
2004209606.tif 000002
【特許請求の範囲】
【請求項１】
可撓性基材の表面に、順次、モース硬度２．０〜４．０の研磨材、粉砕された軽石からなる研磨材が接着されてなることを特徴とする汚れ落し。
【請求項２】
前記モース硬度２．０〜４．０の研磨材及び粉砕された軽石からなる研磨材が被洗浄物に擦り付けた際に遊離するように接着されてなることを特徴とする請求項１に記載の汚れ落し。
【請求項３】
前記モース硬度２．０〜４．０の研磨材が植物性研磨材であることを特徴とする請求項１又は２に記載の汚れ落し。
【請求項４】
前記植物性研磨材が粉砕されたクルミの殻であることを特徴とする請求項３に記載の汚れ落し。
【請求項５】
前記可撓性基材の裏面にクッション材が接着されてなることを特徴とする請求項１、２、３又は４に記載の汚れ落し。
【請求項６】
端部に鋭角部を形成したことを特徴とする請求項１、２、３、４又は５に記載の汚れ落し。
【請求項７】
多数を分離容易に連結構成したことを特徴とする請求項１、２、３、４，５又は６に記載の汚れ落し。
【発明の詳細な説明】
【０００１】
【発明の属する技術分野】
本発明は、汚れ落し、好ましくは、便器、洗面台等の陶器（以下単に「被洗浄物」と言う。）に付着した水垢、その他の汚れ（以下単に「水垢等」と言う。）の汚れ落としに有効であることを特徴とする。
【０００２】
【従来の技術】
従来、前記被洗浄物の水垢等の汚れ落しに、各種のたわし、あるいは各種のたわしと一緒に多くの洗剤が使用されている。しかしながら、頑固な水垢等の汚れ落としには手数を要するものであった。
【０００３】
【特許文献】
特開平８−１４０８９７号公報
【０００４】
【発明が解決しようとする課題】
本発明は、前記被洗浄物に傷付けることを極力抑えて、付着している頑固な水垢等を効率よく完全かつ容易に除去することができる汚れ落しを提供することを目的とする。
【０００５】
【課題を解決するための手段】
前記目的達成のため、請求項１に示す本発明の汚れ落しは、可撓性基材の表面に、順次、モース硬度２．０〜４．０の研磨材、粉砕された軽石からなる研磨材が接着されてなることを特徴とする。
【０００６】
すなわち、可撓性基材として、紙、布等が使用され、研磨材として、前記被洗浄物に傷付けることを極力抑えた硬さを有する研磨材、具体的には、モース硬度２．０〜４．０の研磨材（以下単に「第一研磨材」と言う。）と、粉砕された軽石からなる研磨材（以下単に「第二研磨材」と言う。）が利用される。
【０００７】
前記第一研磨材としては、植物性研磨材、例えば、クルミの殻、桃の種、杏の種等を粉砕したもの、とうもろこしの芯を乾燥粉砕したもの、その他、樹脂系の研磨材等が使用され、いずれも前記被洗浄物を傷つけることがない硬さを有する。
【０００８】
また、前記第二研磨材の粉砕された軽石は、火山が噴火により比較的酸性のマグマが空中に飛ばされた際、圧力の急激な減少によりマグマ中のガスが逸出し、内部構造が多孔質となったもので、前記第一研磨材より硬いが、多孔質で潰れ易く、前記被洗浄物を傷付けることが極力抑えられた硬さを有する。
【０００９】
前記構成の本発明の汚れ落としは、前記被洗浄物に擦り付けると、まず、前記第二研磨材が潰される等して前記可撓性基材から遊離され、同時あるいは続いて前記第一研磨材が前記可撓性基材から遊離される。そして、前記第二研磨材が水垢等の層にくい込み、該水垢等の層にクラックを入れる。なお、好ましくは、前記接着剤として、予め、被洗浄物に擦り付けた場合に、前記各研磨材が、前記可撓性基材から比較的容易に遊離する保持力弱い接着剤、例えば、エチレン酢酸ビニール系エマルジョン等が使用される。
【００１０】
前記のごとく、前記可撓性基材から遊離した第二研磨材及び第一研磨材は、基材に研磨材を完全固着した場合と異なり、決まった軌道を通らずに不規則に転がされる等してランダムに移動させられ、前記クラックが入れられた水垢等を除去する。また、前記第一研磨材は、前記第二研磨材の緩衝材として機能し、前記水垢等の層にクラックを入れた前記第二研磨材が、仮に前記被洗浄物に傷を付けることを極力防止する。
【００１１】
請求項２の実施の一形態は、前記請求項１に記載の汚れ落しにおいて、前記第一研磨材及び第二研磨材が被洗浄物に擦り付けた際に前記可撓性基材から遊離するように接着されてなることを特徴とする。この実施の一形態によれば、可撓性基材に研磨材が完全固着された場合と異なり、遊離された前記第一及び第二研磨材が決まった軌道を通らずに不規則に転がされる等してランダムに移動させられ水垢等を効率的に除去する。
【００１２】
請求項３の実施の一形態は、前記請求項１又は２に記載の汚れ落しにおいて、第一研磨材が植物性研磨材であることを特徴とする。なお、植物性研磨材の一例はすでに述べた。
【００１３】
請求項４の実施の一形態は、前記請求項３における植物性研磨材が粉砕されたクルミの殻であることを特徴とする。この実施の一形態によれば、被洗浄物を傷付けることがなく、前記植物性研磨材の中で優れた汚れ落し効果を発揮する。すなわち、前記被洗浄物の汚れ落しに適した硬度を有する。
【００１４】
前記請求項５の実施の一形態は、前記請求項１、２、３又は４に記載の汚れ落しにおいて、可撓性基材の裏面にクッション材を接着したことを特徴とする。なお、クッション材としては、ウレタンフォーム、各種スポンジ等が使用される。この実施の一形態によれば、把持し易く、したがって、取り扱い及び汚れ落し作業の容易化が図られるとともに、前記クッション材の存在によって前記被洗浄物に傷を付けることがさらに防止され、さらにまた、クッション材部分に洗剤等を含ませて、たわしとしての使用が可能である。
【００１５】
請求項６の実施の一形態は、前記請求項１、２、３、４又は５に記載の汚れ落しにおいて、端部に鋭角部を形成したことを特徴とする。この実施の一形態によれば、前記鋭角部を利用して、被洗浄物の溝、凹部等の狭窄部の汚れ落としを容易に行うことができる。
【００１６】
請求項７の実施の一形態は、前記請求項１、２、３、４、５又は６に記載の汚れ落としにおいて、多数を分離容易に連結構成したことを特徴とする。この実施の一形態によれば、予め、その一つを準備しておくことにより、便器、洗面台等、場所（被洗浄物）に応じて分離して使い分けが可能であり、また、予め一体物にすることにより生産及び商品包装等における取扱いが容易であり、かつ経済的である。
【００１７】
【発明の実施の形態】
以下に、本発明の実施の形態を図について説明する。図１は、模式的に表した本発明の汚れ落しの断面図、図２は、本発明の好ましい一実施例を示す斜視図、図２は、他の一実施例を示す斜視図である。
【００１８】
図１において、１は可撓性基材としての紙、２はエチレン酢酸ビニール系エマルジョン等の比較的保持力の弱い接着剤、３はモース硬度２．０〜４．０からなる第一研磨材、具体的には、粉砕されたクルミの殻である。４は粉砕された軽石からなる第二研磨材である。すなわち、本発明では、前記可撓性基材１の表面に、まず、前記接着剤２により前記第一研磨材３が保持され、つぎに、その上面に前記第二研磨材４が保持される。
【００１９】
製造工程の一例を述べると、まず、前記接着剤２に第一研磨材３が撹拌混合される。つぎに該撹拌混合された前記接着剤２と第一研磨材３が前記可撓性基材１としての帯状の紙に塗布される。
【００２０】
つぎに、前記接着剤２と前記第一研磨材３の上面に前記第二研磨材４が砂付け塗布されて乾燥させられる。さらにその後、接着剤の上引き塗布及び乾燥が行われ、製品検査を経て本発明の汚れ落としが完成する。その後、前記可撓性基材１の裏面にスポンジ等のクッション材５が接着され、適宜の形状に打ち抜くことにより図２及び図３に示す汚れ落しが完成する。
【００２１】
図２に示す一実施例は、鋭角部６及びアール部７を有する形状である。また、図３に示す一実施例は、前記図２に示した汚れ落しの多数を、それぞれを間に僅かの連結部８を残して打ち抜いて分離容易に構成した例である。
【００２２】
前記構成の汚れ落としは、図示しない被洗浄物に擦り付けると、まず、前記第二研磨材４が潰される等して前記可撓性基材１から遊離され、同時あるいは続いて前記第一研磨材３が前記可撓性基材１から遊離される。そして、前記第二研磨材４が潰されながらも水垢等の層にくい込み、該水垢等の層にクラックを入れる。
【００２３】
その後、前記可撓性基材１から遊離した前記第二研磨材４及び前記第一研磨材３が不規則に転がされる等してランダムに移動させられ、前記クラックが入れられた水垢等を除去する。
【００２４】
なお、図２に示す一実施例においては、予め形成された鋭角部６を利用して被洗浄物の溝、凹部等の狭窄部の汚れ落としを容易に行うことができる。また、アール部７を利用して被洗浄物の凹曲面等の汚れを効率よく落すことができる。
【００２５】
また、図３に示す一実施例においては、必要に応じて分離して便器用に、別に分離したもの洗面台用等に、使い分けが可能であり、また、予め一体物に構成することにより生産及び商品包装等における取扱いが容易であり、かつ経済的である。
【００２６】
【発明の効果】
本発明の汚れ落としによれば、被洗浄物に傷付けることが極力抑えられ、付着している頑固な水垢等を効率よく完全かつ容易に除去することができる。
【図面の簡単な説明】
【図１】本発明の汚れ落としの模式的断面図である。
【図２】本発明の好ましい一実施例を示す斜視図である。
【図３】本発明の他の一実施例を示す斜視図である。
【符号の説明】
１    可撓性基材
２    接着剤
３    モース硬度２．０〜４．０の研磨材（第一研磨材）
４    粉砕された軽石からなる研磨材（第二研磨材）
５    クッション材
６    鋭角部
【図１】
2004209606.tif 000003
【図２】
2004209606.tif 000004
【図３】
2004209606.tif 000005